(57)【要約】  コア部材を容器内に収容することによるメリットを維持しながらも、コア部材の洗浄が容易であるために衛生上の問題を生じることなく繰り返して使用することが可能であり、且つ摺擦操作中にコア部材に付与する刺激を手によって任意にコントロールすることができる精子採取装置を提供する。一端部を中心として開閉自在に支持された２つの開閉部材４と、各開閉部材に夫々支持されて開閉するコア片１０と、から成り、閉止した各コア片間で挿入空所を形成する開閉ユニット２と、閉止した状態にある開閉ユニットを着脱自在に保持するホルダ３０と、から成る。
2008149883.tif 000002
【特許請求の範囲】
【請求項１】
一端部を中心として開閉自在に支持された２つの開閉部材と、各開閉部材に夫々支持されて開閉するコア片と、から成り、閉止した各コア片間で挿入空所を形成する開閉ユニットと、
閉止した状態にある前記開閉ユニットを着脱自在に保持するホルダと、から成ることを特徴とする精子採取装置。
【請求項２】
前記各開閉部材は閉止したときに内部に筒状中空部を形成することを特徴とする請求項１に記載の精子採取装置。
【請求項３】
前記各コア片は閉止した際に筒状体となり、前記開閉部材の筒状中空部内に収納されることを特徴とする請求項２に記載の精子採取装置。
【請求項４】
少なくとも閉止時に前記挿入空所を形成する前記各コア片の内側面はゲル状樹脂、或いは他の軟質樹脂材料にて構成されていることを特徴とする請求項１、２又は３に記載の精子採取装置。
【請求項５】
前記各コア片は、硬質の弾性材料から成る内蔵部材の外面に軟質樹脂材料を被覆した構成を有していることを特徴とする請求項１乃至４の何れか一項に記載の精子採取装置。
【請求項６】
前記内蔵部材の外面の少なくとも一部と、前記軟質樹脂材料との間に、空洞部を設けたことを特徴とする請求項５に記載の精子採取装置。
【請求項７】
前記開閉部材の外周面には開口部が形成されており、該開口部内に前記コア片の一部が露出していることを特徴とする請求項１乃至６の何れか一項に記載の精子採取装置。
【請求項８】
前記ホルダは、軸方向一端部に設けられた底面が平坦な基部と、該基部から軸方向に延びて閉止状態にある前記開閉ユニットの着脱をガイドすると共に、収納状態及び使用状態にて夫々該開閉ユニットを脱落不能に保持する少なくとも二個の保持部と、を備えていることを特徴とする請求項１乃至７の何れか一項に記載の精子採取装置。
【発明の詳細な説明】
【技術分野】
【０００１】
本発明は精子採取装置に関し、特に医学的な研究、治療のための要請や、性犯罪防止、買春防止、及び性感染症の蔓延防止等の社会的な要請に基づいて従来から使用されてきた精子採取装置の改良に関するものである。
【背景技術】
【０００２】
医学的な研究や治療上の必要から、男性の精子を採取するための精子採取装置が種々提案されている。例えば、夫婦間の不妊の原因を究明するために採取した精子から夫の性機能を検査したり、性機能障害を治療したり、人工授精のために精子を確保する等の医学的な必要性のために精子採取装置が使用される。更に、個人的な性的欲求を解消させることによる性犯罪の予防、買春防止、性感染症感染者数の減少等の種々の社会的なニーズを満たすためにも、従来から低廉に入手することができ、しかも使い捨てタイプであるために衛生上、健康上の問題も惹起しない簡易な精子採取装置が知られている。
また、最近では健常者のみならず、各種養・介護施設における高齢者や障害者の性的欲求処理の必要性が着目されており、このような要請を満たすことができる簡易な精子採取装置の開発が求められている。【０００３】
例えば、実用新案登録第３０７６６２７号（特許文献１）には、円筒状の容器本体内に、内部に深い凹部空間を有するゲル状の合成樹脂製（スチレン系熱可塑性エラストマー）の内装材（コア部材）を設け、当該内装材の内側には凹部空間へ突出した複数の小突起及び、襞状部を設けると共に、上記内装材の周囲を覆う状態に、ウレタン樹脂からなる外装材を設けた精子採取器が提案されている。
この精子採取器は、円筒状の容器本体の一端に設けた開口から容器内部に、内装材の周囲を覆うように外装材を組み付けた組付け体を挿入してから、該容器開口をキャップによって封止している。使用時にはキャップを取り外して容器本体内に収納された内装材の凹部空間内にペニスを挿入した状態で容器本体を把持してペニス摺擦のための往復操作を行うことにより精子を採取する。【０００４】
しかし、このタイプの精子採取装置は容器本体内に袋状の内装材を固定し、内装材だけを取り出すことができない構造となっているため、使用後に内装材内部を洗浄して衛生上の問題なく繰り返し使用するには適さず、基本的には使い捨てタイプである。このため、経済性、及び環境負荷という点で難があった。また、容器本体内に収容された内装材の凹部空間を無理に洗浄しても隅々までの洗浄は困難なために、繰り返し使用は不衛生である。また、内装材は硬質の容器本体内に完全に収納されるため、摺擦中に内装材外面に手で触れることができず、ペニスに加える加圧力の強弱や、加圧箇所を人手によって調整することが不可能である。また、袋状の構成を有した内装材を射出成形により製造する場合、型抜き等を考慮すると内装材内部に複雑な形状（突起、襞等）を形成することが難しかった。
一方、硬質樹脂から成る容器本体内に内装材を収容しない限り、ペニスに対して十分な締め付け力を付与することが不可能となるため、容器本体により内装材を収容した構成は必要である。【０００５】
本出願人は、特許文献２乃至４において、容器本体内にゲル状樹脂製のコア部材を収容すると共に、コア部材先端面に添設したスポンジ蓋の外周を容器本体内壁に接着固定することによって容器本体内におけるコア部材の位置決めを図った精子採取装置を提案した。
しかし、これらの精子採取装置にあっても、特許文献１と同様の問題がある。
【特許文献１】実用新案登録第３０７６６２７号
【特許文献２】特開２００６−３３４１７６公報
【特許文献３】特開２００６−３４０８７０公報
【特許文献４】特開２００６−３４０８７１公報
【発明の開示】
【発明が解決しようとする課題】
【０００６】
以上のように従来の精子採取装置は、硬質樹脂から成る容器内に軟質樹脂からなるコア部材を固定的に収納した構成を有しているために基本的に使い捨てタイプであり、繰り返し使用ができないために経済性、及び環境負荷の点で問題があった。また、使用中にコア部材外面に触れることができないため、ペニスに対する刺激をコントロールできないという使用感上の問題もあった。
本発明は上記に鑑みてなされたものであり、コア部材を容器内に収容することによるメリットを維持しながらも、コア部材の洗浄が容易であるために衛生上の問題を生じることなく繰り返して使用することが可能であり、且つ摺擦操作中にコア部材に付与する刺激を手によって任意にコントロールすることができる精子採取装置を提供することを目的としている。
【課題を解決するための手段】
【０００７】
上記目的を達成するため、請求項１の発明は、一端部を中心として開閉自在に支持された２つの開閉部材と、各開閉部材に夫々支持されて開閉するコア片と、から成り、閉止した各コア片間で挿入空所を形成する開閉ユニットと、閉止した状態にある前記開閉ユニットを着脱自在に保持するホルダと、から成ることを特徴とする。
２つのコア片は閉じた時に袋状のコア部材を構成し、開放した状態では挿入空所が開放されるので、洗浄が容易となる。また、コア片は射出成形による製造が容易であるため、挿入空所内面形状を任意にレイアウトすることができる。
請求項２の発明は、請求項１において、前記各開閉部材は閉止したときに内部に筒状中空部を形成することを特徴とする。
開閉部材は閉じたときに筒状中空部を形成するので、筒状中空部内に軟質材料から成るコア片（コア部材）を収容して形状を保ち、使用時の変形、型くずれ、挫屈を防止することができる。【０００８】
請求項３の発明は、請求項２において、前記各コア片は閉止した際に筒状体となり、前記開閉部材の筒状中空部内に収納されることを特徴とする。
請求項４の発明は、請求項１、２又は３において、少なくとも閉止時に前記挿入空所を形成する前記各コア片の内側面はゲル状樹脂、或いは他の軟質樹脂材料にて構成されていることを特徴とする。
請求項５の発明は、請求項１乃至４の何れか一項において、前記各コア片は、硬質の弾性材料から成る内蔵部材の外面に軟質樹脂材料を被覆した構成を有していることを特徴とする。【０００９】
請求項６の発明は、請求項５において、前記内蔵部材の外面の少なくとも一部と、前記軟質樹脂材料との間に、空洞部を設けたことを特徴とする。
請求項７の発明は、請求項１乃至６の何れか一項において、前記開閉部材の外周面には開口部が形成されており、該開口部内に前記コア片の一部が露出していることを特徴とする。
請求項８の発明は、請求項１乃至７の何れか一項において、前記ホルダは、軸方向一端部に設けられた底面が平坦な基部と、該基部から軸方向に延びて閉止状態にある前記開閉ユニットの着脱をガイドすると共に、収納状態及び使用状態にて夫々該開閉ユニットを脱落不能に保持する少なくとも二個の保持部と、を備えていることを特徴とする。
【発明の効果】
【００１０】
本発明によれば、コア部材を袋体から構成するのではなく、組み付けることによって袋体状のコア部材を構成する２つのコア片から構成したので、コア片内部を露出させた状態で隅々まで洗浄することができ、衛生上の問題を生じることなく繰り返し使用することが可能となる。従来の精子採取装置のように硬質の容器内に軟質樹脂から成る袋状のコア部材を配置した場合には洗浄が困難であったが、本発明では硬質の容器内にコア片を収容したタイプでありながら洗浄が可能であり、繰り返し使用が可能となる。
また、コア片を閉じる前に凹所内にローションを塗布することもできるので、ローションを隅々まで注入することができ、作業性を高めることができる。【００１１】
また、コア部材が、非袋体状であり、開放時に凹所を露出するタイプであるため、コア片を射出成形により製造する際に、シンプルな構造を有した金型を使用することができるので、複雑な突起、襞等を形成する等、コア片の内面形状にバリエーションを持たせることが容易となり、使用感を高めることが可能となる。
また、比較的硬質の開閉部材によってコア片を保持しているためにペニスに対する締め付け感を維持することができる一方で、コア片の外面が開口部から露出しているため、この露出したコア片の外面を手で加圧することにより加圧力を調整して使用感を高めることができる。【００１２】
本発明に係る精子採取装置は、確かに医学的な目的以外にも、個人的な性欲を解消するための手段として使用されることはあるが、この様な用途に供されることのある精子採取装置だからといって公序良俗を乱す商品であると断定するのは、早計であり、偏見である。この種の商品が性犯罪防止、性感染症の拡散防止等に如何に役立つか、という広い視野に立って特許権を付与する価値があるか否かをご判断頂きたい。
因みに以下の３つの事例は事実に基づいており、これらの社会的要請を満たす手段として精子採取装置が役立つことは疑いのない事実である。なお、当然のことながら、本発明に係る精子採取装置自体は未公開、未公知の状態にある。【００１３】
まず、本出願人からの要請により、タイ赤十字エイズ研究センター(The Thai Red Cross AIDS Research Center: http://www.redcross.or.th/english/aboutus/aids.php4) が、本出願人の開発に係る各種精子採取装置を使用した男性の性行動調査を行うこととなった。本調査内容は、精子採取装置を使用することで、男性（HIV感染者、非感染者、ゲイ、バイセクシュアル、ノーマル含む）の性欲の高まりを鎮めたり、性的リスク行動を抑制したりする効果が認められるか否かを調査するものである。現在同センターで調査の準備を進めている。
また、本出願人は、自ら開発した精子採取装置を、神奈川県相模原市にある特別養護老人ホームに無償提供しており、高齢者の性的欲求の解消のための試行を行っている。即ち、高齢者のＱＯＬ（クオリティオブライフ）にとって「性」の部分の重要性は昨今指摘されている通りであり、こういった施設で起こるトラブルの８割方が男女問題、言うなれば色恋事と密接に絡んでいると言われる。本出願人が過去に製造、販売してきた精子採取装置は、高齢男性が「性」を楽しむ補助となっており「生きがい」や「生きる喜び・愉しみ」を提供することを通じ、ＱＯＬの向上に貢献していることが明らかとなっている。【００１４】
また、これまで障害者の「性」に関してはなぜか長らく語られてこなかった。日本社会は人間の根源的な欲求の一つであるはずの「性欲」を、障害者には無いものとし、蓋をし続けてきた。本出願人は、「誰もが性を楽しめる社会づくり」という理念実現の一環として、障害者の性に対してもアプローチを続けている。障害児を持つ親への商品提供、中等養護学校教諭から、自閉症児へのマスターベーション指導に関する相談への対応等を行っている。また、現在、北海道にある知的障害者施設でのマスターベーション介助のために、本出願人が開発した各種の精子採取装置の使用を進めている最中である。
【発明を実施するための最良の形態】
【００１５】
以下、本発明を図面に示した実施形態により詳細に説明する。
図１（ａ）及び（ｂ）は本発明の一実施形態に係る精子採取装置の組付け状態を示す斜視図であり、図２は精子採取装置を構成する開閉ユニットとホルダを分離した状態を示す斜視図であり、図３は開閉ユニットの構成を示す分解斜視図である。
精子採取装置１は、開閉ユニット２と、ホルダ３０と、から構成されている。開閉ユニット２は、軸方向一端部のヒンジ３を中心として開閉自在に支持された２つの開閉部材４と、各開閉部材４に夫々支持されて各開閉部材と共に開閉するコア片１０と、から成り、図１のように閉止した各コア片１０間でペニス挿入用の挿入空所１１を形成する。ホルダ３０は、閉止した状態にある開閉ユニット２を使用状態（図１（ａ））と収納状態（図１（ｂ））の両状態にて夫々着脱自在に保持する。図１（ａ）に示した使用状態ではペニス挿入用の挿入口１１ａが開放されており使用可能な状態となっている。図１（ｂ）に示した収納状態では逆にホルダ３０によって閉止されているために使用不能状態となっている。【００１６】
各開閉部材４は比較的硬質の樹脂板から成り、図１のように閉止したときに内部に筒状中空部５を形成するように各開閉部材４の内側には凹所５ａが形成されている。各凹所５ａ内には夫々蒲鉾状のコア片１０が整合状態で嵌合して収納される。開閉部材は閉じたときに筒状中空部を形成するので、筒状中空部内に軟質材料から成るコア片（コア部材）を収容して形状を保ち、使用時の変形、型くずれ、挫屈を防止することができる。各開閉部材４の側面の一部にはコア片１０の外面の一部を露出させるための開口部６が形成されている。開口部６の形状、開口面積は、使用者の指によって露出したコア片の一部を加圧できるように任意に設定可能である。開口部６は必須ではなく、開閉部材によってコア片の周面全体を被覆した露出しないように構成しても良い。なお、２つの開閉部材４は容器を構成している。
ヒンジ部３は、各開閉部材４を成形するときに一体的に成形した連結片として構成してもよいし、後付けしてもよい。【００１７】
コア片１０は少なくともその一部をゲル状樹脂等の軟質樹脂から構成し、開閉部材４とコア片１０とは任意の方法により固定される。本実施形態のコア片１０は、図５の断面図に示すように湾曲した薄板状で比較的硬質樹脂から成るインナーシェル（内蔵部材）１２の外面全体を軟質樹脂層１３により被覆した構成を有し、コア片１０の内面には挿入空所１１を形成する凹所１４を形成する。凹所１４の軸方向一端部には挿入口１１ａとなる凹部１６を形成する。なお、挿入口１１ａと対応する開閉部材４の端面には挿入用開口部４ａが形成される。なお、開口部４ａは、挿入口１１ａを全部露出させる形状であってもよい。また、挿入口１１ａは常時においては挿入口周縁部を構成する軟質樹脂によって閉じた状態とし、挿入用開口部４ａを挿入口１１ａを形成する軟質樹脂によって閉止するように構成してもよい。
また、開閉部材４の挿入側端部を所定長切断して短尺化し、コア片の挿入側端部（挿入口１１ａを有した円弧状の部分）が開閉部材の外部に常時露出（突出）するように構成してもよい。【００１８】
コア片１０を構成する軟質樹脂は、エラストマーのような弾性を有したゲル状の樹脂、或いはゲル状のゴム等から構成する。コア片１０は従来のコア部材とは異なって袋体状ではなく、袋体を軸方向へ二分割した形状であるために、射出成形に使用する金型をシンプル化することができる。従って、凹所１４の内壁には任意の配置、形状にて突起、襞等が形成される。なお、２つのコア片１０はコア部材を構成している。
更に、図５（ａ）に示すように各開閉部材４の開口部６に対応するコア片内部に配置された硬質の弾性材料から成るインナーシェル（内蔵部材）１２は軟質樹脂に支持されて浮遊するフルフローティング構造（図５（ａ）及び（ｂ））となっており、コア片１０の肉厚内部においてインナーシェル１２が厚み方向に誘導することを許容している。これにより、インナーシェルが内径方向に押圧されたときに、挿入空所１１内を往復動するペニスに対して任意に適度な加圧力と刺激を与えて精子採取効果を高めることができる。この場合において、インナーシェル１２の内側（又は／及び、外側）に空洞部１７を形成する（図５（ａ））ことで、空洞部がエアクッションとなって、加圧と刺激を繊細なものにすることもできるし、空洞部を設けずに、インナーシェル全面をコア片を構成する軟質樹脂により一体的に被覆する（図５（ｂ））ことで、加圧と刺激をダイレクトに感じる設計にすることも可能である。【００１９】
ホルダ３０は、図６に示すように、軸方向一端部に設けられた底面３１ａが平坦な基部３１と、基部３１から軸方向に延びて閉止状態にある開閉ユニット２の着脱をガイドすると共に開閉ユニットを脱落不能に保持する少なくとも二個の保持部３５と、を備えている。
閉止時に密着する各開閉部材４の各端縁７には夫々断面形状がＬ字状の突起７ａが形成されており、図４に示すように開閉部材を閉止した時に各突起７ａ同士が近接して断面形状がＴ字状の突起７Ａを形成する。この場合、突起７ａは端縁７の所要箇所のみに設けても良いし、端縁７の長手方向全長、或いは一部に亘って延在する長尺な突条としてもよい。【００２０】
図７は開閉ユニットにホルダを組み付けた状態を示す説明図である。図７（ｅ）の要部拡大断面図に示すようにホルダの保持部３５の内側面にはこの突起７Ａを受け入れてガイドするガイド部材３６が形成されている。ガイド部材３６は、断面形状がＴ字状の突起７Ａを受入れ可能なＴ字状の空所３６ａを有しているため、ガイド部材のＴ字状の空所の軸方向一端開口から突起７Ａを受入れて軸方向へガイドすることができる。２つの突起７ａから成る突起７Ａをガイド部材３６が分離しないように押さえつつガイドするため、開閉部材４を分離させずにホルダ３０によって保持されることができる。【００２１】
図８（ａ）はホルダ３０が閉じた状態にある開閉ユニット２を収納状態（非使用状態）に保持している状態を示し、図８（ｂ）はホルダを開閉ユニットから抜き取る手順を示しており、図８（ｃ）は開閉ユニットを使用状態に保持している状態を示している。図８（ｃ）の使用状態においては、挿入用開口４ａ、及び挿入口１１ａからペニスを挿入空所１１内に挿入することができる。
開閉ユニット２は、図４等に示した如き閉止状態から、図９（ａ）（ｂ）に示した順序で開放することができる。開放状態においては各コア片の内側面が露出するため、凹所１４内を隅々まで洗浄することができる。洗浄後は、図９（ｃ）に示したように基部３１の底面を平坦面上に載置した状態で、保持部３５の上端部にＶ字状に開放した開閉ユニット２の中間部を保持して乾燥させることができる。保持部３５の上端部には、開閉ユニット２の中間部を保持し易いような切欠き、突起等を設ける。
乾燥後は、開閉ユニット２を閉じてホルダに装着し、図８（ａ）の収納状態にして保管したり、図８（ｃ）の使用状態にすることができる。使用する際には、挿入口１１ａからローションを注入して使用する。或いは、開閉ユニット２を閉じる前に各コア片の凹所１４内にローションを塗布しておいてもよい。【００２２】
以上の如き構成を備えた本発明の精子採取装置によれば、開閉ユニット２を開放することができるので、コア片内部を露出させた状態で隅々まで洗浄することができ、衛生上の問題を生じることなく繰り返し使用が可能となる。従来の精子採取装置のように硬質の容器内に軟質樹脂から成る袋状のコア部材を配置した場合には洗浄が困難であったが、本発明では硬質の容器内にコア片を収容したタイプでありながら洗浄が可能であり、繰り返し使用が可能となる。
また、コア片を閉じる前に凹所１４内にローションを塗布することもできるので、ローションを隅々まで注入することができ、作業性を高めることができる。
また、コア部材が、非袋体状であり、開放時に凹所１４を露出するタイプであるため、コア片１０を射出成形により製造する際に、シンプルな構造を有した金型を使用することができるので、複雑な突起、襞等を形成する等、コア片の内面形状にバリエーションを持たせることが容易となり、使用感を高めることが可能となる。
また、比較的硬質の開閉部材によってコア片を保持しているためにペニスに対する締め付け感を維持することができる一方で、コア片の外面が開口部６から露出しているため、この露出したコア片の外面を手で加圧することにより加圧力を調整して使用感を高めることができる。
【図面の簡単な説明】
【００２３】
【図１】（ａ）及び（ｂ）は本発明の一実施形態に係る精子採取装置の組付け状態を示す斜視図である。
【図２】精子採取装置を構成する開閉ユニットとホルダを分離した状態を示す斜視図である。
【図３】開閉ユニットの構成を示す分解斜視図である。
【図４】（ａ）乃至（ｄ）は本発明の精子採取装置を構成する開閉ユニットの構成を示す正面図、平面図、底面図、及び側面図である。
【図５】（ａ）及び（ｂ）は一方の開閉部材により支持されたコア片の内部構造を示す断面図である。
【図６】（ａ）乃至（ｄ）は本発明の精子採取装置を構成するホルダの構成を示す正面図、平面図、底面図、及び側面図である。
【図７】（ａ）乃至（ｅ）は本発明の精子採取装置の構成を示す正面図、平面図、底面図、側面図、及び要部断面図である。
【図８】（ａ）（ｂ）及び（ｃ）は操作手順を示す図である。
【図９】（ａ）（ｂ）及び（ｃ）は開閉ユニットの開閉手順、及び乾燥させている状態を示す図である。
【符号の説明】
【００２４】
１…精子採取装置、２…開閉ユニット、３…ヒンジ、４…開閉部材、４ａ…挿入用開口、５…筒状中空部、５ａ…凹所、６…開口部、７…端縁、７Ａ…突起、７ａ…突起、１０…コア片、１１…挿入空所、１１ａ…挿入口、１２…インナーシェル（内蔵部材）、１３…軟質樹脂層、１４…凹所、１６…凹部、１７…空洞部、３０…ホルダ、３１…基部、３１ａ…底面、３５…保持部、３６…ガイド部材。
【図１】
2008149883.tif 000003
【図２】
2008149883.tif 000004
【図３】
2008149883.tif 000005
【図４】
2008149883.tif 000006
【図５】
2008149883.tif 000007
【図６】
2008149883.tif 000008
【図７】
2008149883.tif 000009
【図８】
2008149883.tif 000010
【図９】
2008149883.tif 000011
【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
ヒンジを中心として開閉自在に支持された２つの開閉部材と、各開閉部材に夫々支持されて開閉するコア片と、から成り、閉止した各コア片間で挿入空所を形成する開閉ユニットと、を備えたことを特徴とする精子採取装置。
【請求項２】
閉止した状態にある前記開閉ユニットを着脱自在に保持するホルダを備えたことを特徴とする請求項１に記載の精子採取装置。
【請求項３】
前記各開閉部材は閉止したときに内部に筒状中空部を形成することを特徴とする請求項１又は２に記載の精子採取装置。
【請求項４】
前記各コア片は閉止した際に筒状体となり、前記開閉部材の筒状中空部内に収納されることを特徴とする請求項１、２又は３に記載の精子採取装置。
【請求項５】
少なくとも閉止時に前記挿入空所を形成する前記各コア片の内側面はゲル状樹脂、或いは他の軟質樹脂材料にて構成されていることを特徴とする請求項１乃至４の何れか一項に記載の精子採取装置。
【請求項６】
前記各コア片は、硬質の弾性材料から成る内蔵部材の外面に軟質樹脂材料を被覆した構成を有していることを特徴とする請求項１乃至５の何れか一項に記載の精子採取装置。
【請求項７】
前記内蔵部材の外面の少なくとも一部と、前記軟質樹脂材料との間に、空洞部を設けたことを特徴とする請求項６に記載の精子採取装置。
【請求項８】
前記開閉部材の外周面には開口部が形成されており、該開口部内に前記コア片の一部が露出していることを特徴とする請求項１乃至７の何れか一項に記載の精子採取装置。
【請求項９】
前記ホルダは、軸方向一端部に設けられた底面が平坦な基部と、該基部から軸方向に延びて閉止状態にある前記開閉ユニットの着脱をガイドすると共に、収納状態及び使用状態にて夫々該開閉ユニットを脱落不能に保持する少なくとも二個の保持部と、を備えていることを特徴とする請求項２乃至８の何れか一項に記載の精子採取装置。
【手続補正２】
【補正対象書類名】明細書
【補正対象項目名】０００７
【補正方法】変更
【補正の内容】
【０００７】
上記目的を達成するため、請求項１の発明は、ヒンジを中心として開閉自在に支持された２つの開閉部材と、各開閉部材に夫々支持されて開閉するコア片と、から成り、閉止した各コア片間で挿入空所を形成する開閉ユニットと、を備えたことを特徴とする。
２つのコア片は閉じた時に袋状のコア部材を構成し、開放した状態では挿入空所が開放されるので、洗浄が容易となる。また、コア片は射出成形による製造が容易であるため、挿入空所内面形状を任意にレイアウトすることができる。
また、請求項２の発明は、請求項１において、閉止した状態にある前記開閉ユニットを着脱自在に保持するホルダを備えたことを特徴とする。
請求項３の発明は、請求項１又は２において、前記各開閉部材は閉止したときに内部に筒状中空部を形成することを特徴とする。
開閉部材は閉じたときに筒状中空部を形成するので、筒状中空部内に軟質材料から成るコア片（コア部材）を収容して形状を保ち、使用時の変形、型くずれ、挫屈を防止することができる。
【手続補正３】
【補正対象書類名】明細書
【補正対象項目名】０００８
【補正方法】変更
【補正の内容】
【０００８】
請求項４の発明は、請求項１、２又は３において、前記各コア片は閉止した際に筒状体となり、前記開閉部材の筒状中空部内に収納されることを特徴とする。
請求項５の発明は、請求項１乃至４の何れか一項において、少なくとも閉止時に前記挿入空所を形成する前記各コア片の内側面はゲル状樹脂、或いは他の軟質樹脂材料にて構成されていることを特徴とする。
請求項６の発明は、請求項１乃至５の何れか一項において、前記各コア片は、硬質の弾性材料から成る内蔵部材の外面に軟質樹脂材料を被覆した構成を有していることを特徴とする。
【手続補正４】
【補正対象書類名】明細書
【補正対象項目名】０００９
【補正方法】変更
【補正の内容】
【０００９】
請求項７の発明は、請求項６において、前記内蔵部材の外面の少なくとも一部と、前記軟質樹脂材料との間に、空洞部を設けたことを特徴とする。
請求項８の発明は、請求項１乃至７の何れか一項において、前記開閉部材の外周面には開口部が形成されており、該開口部内に前記コア片の一部が露出していることを特徴とする。
請求項９の発明は、請求項２乃至８の何れか一項において、前記ホルダは、軸方向一端部に設けられた底面が平坦な基部と、該基部から軸方向に延びて閉止状態にある前記開閉ユニットの着脱をガイドすると共に、収納状態及び使用状態にて夫々該開閉ユニットを脱落不能に保持する少なくとも二個の保持部と、を備えていることを特徴とする。
【国際調査報告】
2008149883.tif 000012
2008149883.tif 000013